(57)【要約】【課題】性能の安定した光ピックアップアクチュエータを提供する。【解決手段】アクチュエータは、支軸３、及びこの支軸３を左右から挟んで互いに対向する一対の永久磁石４Ａ、４Ｂが立設された基台１と、対物レンズ５を保持し永久磁石４Ａ、４Ｂ同士の間で支軸３に軸方向及び周方向で摺動可能に支持されたレンズホルダ２と、を備える。レンズホルダ２には、下面上に配置され支軸３を取り巻くフォーカス用コイル６と、このフォーカス用コイル６の下端に配置され支軸３を貫通させる貫通穴８ａを有する磁性板８と、各永久磁石４Ａ、４Ｂに対向する左右両側にそれぞれ配置されたトラッキング用コイル７Ａ、７Ｂと、が固定されている。レンズホルダ２は、各々がフォーカス用コイル６を貫通するように下面から下方に突出して磁性板８の貫通穴８ａにおける左右の各縁に引っ掛かる一対の突片部２ｆを有する。【選択図】図１
2007172773.tif 000002
【特許請求の範囲】
【請求項１】
支軸、及びこの支軸を左右から挟んで互いに対向する一対の永久磁石が立設された基台と、対物レンズを保持し前記永久磁石同士の間で前記支軸に軸方向及び周方向で摺動可能に支持されたレンズホルダと、を備え、
前記レンズホルダには、下面上に配置され前記支軸を取り巻くフォーカス用コイルと、このフォーカス用コイルの下端に配置され前記支軸を貫通させる貫通穴を有する磁性板と、前記各永久磁石に対向する左右両側にそれぞれ配置されたトラッキング用コイルと、が固定されている光ピックアップアクチュエータにおいて、
前記磁性板は、前記フォーカス用コイルにおける後の辺の外周を越えて後方に延び出す延出部を有し、
前記レンズホルダは、各々が前記フォーカス用コイルを貫通するように下面から下方に突出して前記磁性板の前記貫通穴における左右の各縁に引っ掛かる一対の突片部と、内穴に前記支軸が摺動可能に挿入される円筒部と、この円筒部の外周から左前方、右前方、左後方及び右後方の四方それぞれに向けて突出し、各々を四隅として前記フォーカス用コイルが外挿される４つの第１突起部と、これらの各第１突起部の下方に隣接して前記円筒部の外周から前記第１突起部よりも短く突出し、各々を四隅として前記磁性板が外挿される４つの第２突起部と、前記フォーカス用コイルにおける後の辺の外周と隙間をあけて対向する壁部と、この壁部の下端部に形成され前記磁性板の前記延出部を収容する凹部と、を有しており、
前記磁性板は、前記レンズホルダの前記第２突起部に外挿されて、前記レンズホルダの前記第１突起部のうちの左前及び右前の第１突起部の下端面に当接するとともに、前記延出部が前記レンズホルダの前記凹部の底面に当接した状態で、前記貫通穴における左右の各縁が前記レンズホルダの前記各突片部に引掛けられ、
前記フォーカス用コイル及び前記トラッキング用コイルが前記レンズホルダに熱硬化性の接着剤によって接着固定されることを特徴とする光ピックアップアクチュエータ。
【請求項２】
支軸、及びこの支軸を左右から挟んで互いに対向する一対の永久磁石が立設された基台と、対物レンズを保持し前記永久磁石同士の間で前記支軸に軸方向及び周方向で摺動可能に支持されたレンズホルダと、を備え、
前記レンズホルダには、下面上に配置され前記支軸を取り巻くフォーカス用コイルと、このフォーカス用コイルの下端に配置され前記支軸を貫通させる貫通穴を有する磁性板と、前記各永久磁石に対向する左右両側にそれぞれ配置されたトラッキング用コイルと、が固定されている光ピックアップアクチュエータにおいて、
前記レンズホルダは、各々が前記フォーカス用コイルを貫通するように下面から下方に突出して前記磁性板の前記貫通穴における左右の各縁に引っ掛かる一対の突片部を有することを特徴とする光ピックアップアクチュエータ。
【請求項３】
前記レンズホルダは、内穴に前記支軸が摺動可能に挿入される円筒部と、この円筒部の外周から左前方、右前方、左後方及び右後方の四方それぞれに向けて突出し、各々を四隅として前記フォーカス用コイルが外挿される４つの第１突起部と、これらの各第１突起部の下方に隣接して前記円筒部の外周から前記第１突起部よりも短く突出し、各々を四隅として前記磁性板が外挿される４つの第２突起部と、を有することを特徴とする請求項２に記載の光ピックアップアクチュエータ。
【請求項４】
前記磁性板は、前記フォーカス用コイルにおける後の辺の外周を越えて後方に延び出す延出部を有し、
前記レンズホルダは、前記フォーカス用コイルにおける後の辺の外周と隙間をあけて対向する壁部と、この壁部の下端部に形成され前記磁性板の前記延出部を収容する凹部と、を有しており、
前記磁性板は、前記レンズホルダの前記第２突起部に外挿されて、前記レンズホルダの前記第１突起部のうちの左前及び右前の第１突起部の下端面に当接するとともに、前記延出部が前記レンズホルダの前記凹部の底面に当接した状態で、前記貫通穴における左右の各縁が前記レンズホルダの前記各突片部に引掛けられていることを特徴とする請求項３に記載の光ピックアップアクチュエータ。
【請求項５】
前記フォーカス用コイル及び前記トラッキング用コイルが前記レンズホルダに接着剤によって接着固定されることを特徴とする請求項２から４のいずれかに記載の光ピックアップアクチュエータ。
【請求項６】
前記接着剤が熱硬化性の接着剤であることを特徴とする請求項５に記載の光ピックアップアクチュエータ。
【発明の詳細な説明】
【技術分野】
【０００１】
本発明は、情報記録媒体であるＣＤやＤＶＤ等の光ディスクに対して情報の再生や記録を行うための光ディスク装置に搭載される光ピックアップアクチュエータに関する。
【背景技術】
【０００２】
光ディスク装置では、レーザダイオード等の光源から出射された光を対物レンズを通じて光ディスクの記録面上に高精度に集光させることが要求されるため、これを実現する構成として光ピックアップアクチュエータ（以下、単に「アクチュエータ」と記すことがある）が不可欠である。
【０００３】
アクチュエータとしては、対物レンズを保持したレンズホルダが基台に固定の支軸に対して軸方向及び周方向で摺動可能に支持された、いわゆる軸摺動方式のものがある。この種のアクチュエータでは、一般に、電磁気的な作用でレンズホルダを駆動させて対物レンズに対するフォーカス調整及びトラッキング調整が行えるように、レンズホルダに固定のフォーカス用コイル及びトラッキング用コイルと、レンズホルダの左右両側方で基台に固定の一対の永久磁石と、を備えている。そのフォーカス用コイルに電流を印加することで、支軸に沿ってレンズホルダが摺動しながら移動してフォーカス調整がなされ、他方トラッキング用コイルに電流を印加することで、支軸を中心にレンズホルダが摺動しながら回動してトラッキング調整がなされるわけである。
【０００４】
このようなアクチュエータの具体的な構成について、図６〜図８を参照しながら説明する。これらの図に示すように、アクチュエータは、大きくは、基台１と、レンズホルダ２とより構成される。
【０００５】
基台１は、光ディスク装置における光源や光学系や光検出器等が装着された可動部材（不図示）に固定されるものであって、ステンレス等の金属板から板金成形されて成る。その基台１上には、ほぼ中央に円柱状の支軸３が立設され、この支軸３と平行でこれを左右から挟むように所定間隔をあけて相互に対向する一対の永久磁石４Ａ、４Ｂが立設されている。これらの各永久磁石４Ａ、４Ｂは、各々の外面が、基台１から折曲形成された突片１ａ、１ｂに磁着されることで、基台１と一体化されている。ここでの各永久磁石４Ａ、４Ｂの位置決めは、基台１の各突片１ａ、１ｂからの突起１ｃ、１ｄとの当接によってなされる。なお、１ｅは、光源からの光及び光ディスクからの戻り光を通過させる貫通穴である。
【０００６】
続いて、レンズホルダ２は、液晶ポリマー（ＬＣＰ）等の硬質樹脂から成形されて成るものであり、その一端部（図６、図７及び図８では左側の部分）に対物レンズ５が保持されている。また、レンズホルダ２の下面の中央には、対物レンズ５の光軸方向（図６及び図８では紙面に垂直な方向で、図７では上下方向）と平行で基台１上の支軸３とほぼ同径の内径を有する円筒部２ａが形成されており、この円筒部２ａの内穴はレンズホルダ２そのものを貫通している。この円筒部２ａの内穴には、基台１の支軸３が挿入される。
【０００７】
また、レンズホルダ２には、円筒部２ａの外周から左前方、右前方、左後方及び右後方の四方それぞれに向けて４つの突起部２ｂが対称的に突出している（図８参照）。４つの突起部２ｂには、これらを四隅として矩形状で取り巻くようにフォーカス用コイル６が外挿される。そのフォーカス用コイル６の下端には、中央に矩形状の貫通穴８ａを有する磁性板８が、その貫通穴８ａの四隅を各突起部２ｂで前後左右を位置決めされた状態で外挿される。フォーカス用コイル６の外方であるレンズホルダ２の左右両側（図６及び図８では左右方向に延在する上下の縁部分）には、それぞれ矩形状に巻かれたトラッキング用コイル７Ａ、７Ｂが取り付けられる。また、レンズホルダ２には、フォーカス用コイル６を前後から挟み込むように壁部２ｃ、２ｄが形成されており、各壁部２ｃ、２ｄは、それぞれフォーカス用コイル６における前後の各辺の外周と隙間をあけて対向する。
【０００８】
そして、フォーカス用コイル６、磁性板８及びトラッキング用コイル７Ａ、７Ｂは、レンズホルダ２に対し、エポキシ樹脂等の熱硬化性の接着剤によって接着固定される。ここでの接着剤は、一般には、フォーカス用コイル６及び磁性板８と壁部２ｃ、２ｄとの隙間、フォーカス用コイル６及び磁性板８と円筒部２ａ及び各突起部２ｂとの隙間、トラッキング用コイル７Ａ、７Ｂの内周全域等を含む、フォーカス用コイル６、磁性板８、トラッキング用コイル７Ａ、７Ｂ、レンズホルダ２同士のあらゆる隙間を埋めるように、広範に十分塗布され、加熱により硬化される。但しその場合は、接着剤の使用量や塗布個所が多くなり、その結果として、製作コストが悪化することから、これを解消するために、例えば特許文献１に開示されているように、フォーカス用コイル６、磁性板８及びトラッキング用コイル７Ａ、７Ｂの接着固定の際、限定した領域に接着剤を塗布し、この接着剤の硬化によってレンズホルダ２にフォーカス用コイル６、磁性板８及びトラッキング用コイル７Ａ、７Ｂを部分的に接着固定することもある。
【０００９】
このような構成のもと、レンズホルダ２は、その円筒部２ａの内穴が基台１の支軸３に挿入されて、各永久磁石４Ａ、４Ｂ同士の間で、支軸３に対し軸方向及び周方向で摺動可能に支持されるようになる。併せて、磁性板８と各永久磁石４Ａ、４Ｂとの磁気引力の作用により、レンズホルダ２そのものが浮上した状態に維持される。しかも磁性板８は、各永久磁石４Ａ、４Ｂからの磁束を有効に引き込んで、両者の間に配されたフォーカス用コイル６及びトラッキング用コイル７Ａ、７Ｂに高密度の磁束を与え、これにより、レンズホルダ２の駆動効率を高める役割を果たす。
【００１０】
ここで、このようなアクチュエータでは、フォーカス調整時やトラッキング調整時に、基台１に対するレンズホルダ２の移動の案内が、レンズホルダ２における円筒部２ａの内穴の周面と基台１上の支軸３の外周面とでなされるため、レンズホルダ２の移動の際に微小ながらもガタツキが生じてしまう。そこで実際には、基台１に対して、各永久磁石４Ａ、４Ｂの各磁気中心点をつなぐ磁気中心線の中心から磁気中心線と直交する前後方向に所定量ずれた位置に支軸３が配置されるように、各永久磁石４Ａ、４Ｂを立設させている。例えば図６、図７では、支軸３が各永久磁石４Ａ、４Ｂよりもやや後方にずれた位置に配置されている。
【００１１】
このようにすると、レンズホルダ２における磁性板８には、各永久磁石４Ａ、４Ｂとの間でそれぞれ磁気引力が生じ、これらの磁気引力の合力がレンズホルダ２そのものに前後方向（図６、図７では前方となる左方に向けて）の側圧として与えられる。これにより、レンズホルダ２は、支軸３と直交する方向にその側圧で押圧されながら、支軸３に対して軸方向及び周方向に摺動するようになるため、レンズホルダ２のガタツキは抑制される。従って、磁性板８は、フォーカス調整時やトラッキング調整時のレンズホルダ２のガタツキを抑制する役割も果たす。
【００１２】
なお、アクチュエータとしては、例えば特許文献２、３に開示されているように、対物レンズを保持したレンズホルダが複数本のワイヤ（金属線）によってベース部材に対して揺動可能に支持された、いわゆるワイヤ支持方式のものがある。特許文献２では、ベース側基準面と固定ブロックの小突起とを圧接させてフォーカス方向の初期位置を設定するようにしている。特許文献３では、レンズホルダの成形時にコイルのコアをあらかじめ成形しておき、コイル取付け用接着剤の使用量を低減するようにしている。
【特許文献１】実用新案登録第３１１１４０７号公報
【特許文献２】特開２００２−４２３７３号公報
【特許文献３】特開２０００−１１４０９号公報
【発明の開示】
【発明が解決しようとする課題】
【００１３】
しかし、上記した軸摺動方式のアクチュエータにおいては、接着剤によって磁性板８をレンズホルダ２に接着固定させる際に、塗布した接着剤が前後左右で不均一になって磁性板８が正規の姿勢から傾くことがある。そして、そのままの状態で接着剤が硬化してしまうと、レンズホルダ２に対して磁性板８が傾いた姿勢で接着固定されることになる。この場合、磁性板８が果たす役割、特にフォーカス調整時やトラッキング調整時のレンズホルダ２のガタツキ抑制が不十分となり、アクチュエータの性能に悪影響がもたらされる。
【００１４】
そこで本発明は、上記の問題に鑑みてなされたものであり、性能の安定した光ピックアップアクチュエータを提供することを目的とするものである。
【課題を解決するための手段】
【００１５】
上記目的を達成するため、本発明による光ピックアップアクチュエータは、支軸、及びこの支軸を左右から挟んで互いに対向する一対の永久磁石が立設された基台と、対物レンズを保持し前記永久磁石同士の間で前記支軸に軸方向及び周方向で摺動可能に支持されたレンズホルダと、を備え、前記レンズホルダには、下面上に配置され前記支軸を取り巻くフォーカス用コイルと、このフォーカス用コイルの下端に配置され前記支軸を貫通させる貫通穴を有する磁性板と、前記各永久磁石に対向する左右両側にそれぞれ配置されたトラッキング用コイルと、が固定されている光ピックアップアクチュエータにおいて、次の点を特徴とする。前記磁性板は、前記フォーカス用コイルにおける後の辺の外周を越えて後方に延び出す延出部を有している。前記レンズホルダは、各々が前記フォーカス用コイルを貫通するように下面から下方に突出して前記磁性板の前記貫通穴における左右の各縁に引っ掛かる一対の突片部と、内穴に前記支軸が摺動可能に挿入される円筒部と、この円筒部の外周から左前方、右前方、左後方及び右後方の四方それぞれに向けて突出し、各々を四隅として前記フォーカス用コイルが外挿される４つの第１突起部と、これらの各第１突起部の下方に隣接して前記円筒部の外周から前記第１突起部よりも短く突出し、各々を四隅として前記磁性板が外挿される４つの第２突起部と、前記フォーカス用コイルにおける後の辺の外周と隙間をあけて対向する壁部と、この壁部の下端部に形成され前記磁性板の前記延出部を収容する凹部と、を有している。そして、前記磁性板は、前記レンズホルダの前記第２突起部に外挿されて、前記レンズホルダの前記第１突起部のうちの左前及び右前の第１突起部の下端面に当接するとともに、前記延出部が前記レンズホルダの前記凹部の底面に当接した状態で、前記貫通穴における左右の各縁が前記レンズホルダの前記各突片部に引掛けられ、前記フォーカス用コイル及び前記トラッキング用コイルが前記レンズホルダに熱硬化性の接着剤によって接着固定される。
【００１６】
このような構成にすると、磁性板は、レンズホルダに対し、第１突起部の下端面及び凹部の底面との当接によって上方への移動が規制されつつ、各突片部による引掛けよってその姿勢が傾きのない正規の姿勢に拘束されるようになる。従って、接着剤を塗布するまでもなく、磁性板を傾きのない正規の姿勢でレンズホルダに固定することが可能になる。その結果、磁性板が果たす役割、特にフォーカス調整時やトラッキング調整時のレンズホルダのガタツキ抑制が十分となる。
【００１７】
また、上記目的を達成するための本発明による光ピックアップアクチュエータは、支軸、及びこの支軸を左右から挟んで互いに対向する一対の永久磁石が立設された基台と、対物レンズを保持し前記永久磁石同士の間で前記支軸に軸方向及び周方向で摺動可能に支持されたレンズホルダと、を備え、前記レンズホルダには、下面上に配置され前記支軸を取り巻くフォーカス用コイルと、このフォーカス用コイルの下端に配置され前記支軸を貫通させる貫通穴を有する磁性板と、前記各永久磁石に対向する左右両側にそれぞれ配置されたトラッキング用コイルと、が固定されている光ピックアップアクチュエータにおいて、前記レンズホルダは、各々が前記フォーカス用コイルを貫通するように下面から下方に突出して前記磁性板の前記貫通穴における左右の各縁に引っ掛かる一対の突片部を有する。
【００１８】
このような構成にすると、磁性板は、レンズホルダに対し、各突片部による引掛けよってその姿勢が傾きのない正規の姿勢に拘束されるようになる。従って、接着剤を塗布するまでもなく、又は接着剤を塗布したとしても、磁性板を傾きのない正規の姿勢でレンズホルダに固定することが可能になる。その結果、磁性板が果たす役割、特にフォーカス調整時やトラッキング調整時のレンズホルダのガタツキ抑制が十分となる。
【００１９】
ここで、実用的には、前記レンズホルダは、内穴に前記支軸が摺動可能に挿入される円筒部と、この円筒部の外周から左前方、右前方、左後方及び右後方の四方それぞれに向けて突出し、各々を四隅として前記フォーカス用コイルが外挿される４つの第１突起部と、これらの各第１突起部の下方に隣接して前記円筒部の外周から前記第１突起部よりも短く突出し、各々を四隅として前記磁性板が外挿される４つの第２突起部と、を有することが好ましい。
【００２０】
この場合、前記磁性板は、前記フォーカス用コイルにおける後の辺の外周を越えて後方に延び出す延出部を有し、前記レンズホルダは、前記フォーカス用コイルにおける後の辺の外周と隙間をあけて対向する壁部と、この壁部の下端部に形成され前記磁性板の前記延出部を収容する凹部と、を有しており、前記磁性板は、前記レンズホルダの前記第２突起部に外挿されて、前記レンズホルダの前記第１突起部のうちの左前及び右前の第１突起部の下端面に当接するとともに、前記延出部が前記レンズホルダの前記凹部の底面に当接した状態で、前記貫通穴における左右の各縁が前記レンズホルダの前記各突片部に引掛けられているとよい。
【００２１】
また、前記フォーカス用コイル及び前記トラッキング用コイルが前記レンズホルダに接着剤によって接着固定されることが好ましい。
【００２２】
この場合、経済性の観点から、前記接着剤が熱硬化性の接着剤であるとよい。
【発明の効果】
【００２３】
本発明の光ピックアップアクチュエータによれば、安定した性能が得られる。
【発明を実施するための最良の形態】
【００２４】
以下に、本発明の一実施形態である光ピックアップアクチュエータについて図面を参照しながら詳述する。図１は本発明の一実施形態であるアクチュエータにおけるレンズホルダの下面図、図２はそのレンズホルダの左側面図であって、これらの各図では、トラッキング用コイルの図示を省略している。図３はそのレンズホルダ単体の下面図、図４はそのレンズホルダ単体の右側面図、図５は図３のＡ−Ａ断面図である。なお、これらの図中、図６〜図８と同じ名称で同じ機能を果たす部分には同一の符号を付し、重複する説明は適宜省略する。
【００２５】
本実施形態のアクチュエータは、軸摺動方式のものであって、大きくは、基台１と、レンズホルダ２とより構成されており、基台１に支軸３及び永久磁石４Ａ、４Ｂが立設され、他方レンズホルダ２に対物レンズ５、フォーカス用コイル６、トラッキング用コイル７Ａ、７Ｂ及び磁性板８が取り付けられる点は、従来のアクチュエータと同様である。但し、磁性板８の取付けにまつわる態様が、従来のアクチュエータと大きく異なる。
【００２６】
本実施形態でのレンズホルダ２には、内穴に支軸３が挿入される円筒部２ａの外周から左前方、右前方、左後方及び右後方の四方それぞれに向けて４つの第１突起部２ｂ１が対称的に突出している（図３、図４参照）。各第１突起部２ｂ１は、レンズホルダ２の下面からその下端面までの高さがいずれも同じになっている。４つの第１突起部２ｂ１には、これらを四隅として矩形状で取り巻くようにフォーカス用コイル６が外挿される（図１、図２参照）。
【００２７】
更に、各第１突起部２ｂ１の下方に隣接して、円筒部２ａの外周から左前方、右前方、左後方及び右後方の四方それぞれに向けて４つの第２突起部２ｂ２が対称的に突出している（図３、図４参照）。４つの第２突起部２ｂ２は、各第１突起部２ｂ１よりも短く突出している。
【００２８】
また、レンズホルダ２における後側の壁部２ｄの下端部には、左右方向でのほぼ中央に凹部２ｅが形成されている（図３、図４参照）。この凹部２ｅは、壁部２ｄの前後に開放されていて、レンズホルダ２の下面から凹部２ｅの底面までの高さが、レンズホルダ２の下面から第１突起部２ｂ１の下端面までの高さと同じになっている。
【００２９】
更にまた、前後の第１突起部２ｂ１同士の間には、円筒部２ａを間に挟んで左右に一対の突片部２ｆがレンズホルダ２の下面から下方に突出している（図３〜図５参照）。各突片部２ｆは、第１突起部２ｂ１の下端面を越える程度まで突出しており、各々がフォーカス用コイル６を貫通している。ここでの各突片部２ｆは、その先端部が互いに左右外方へ向けて鉤状に折れ曲がっている。
【００３０】
一方、本実施形態での磁性板８は、中央に概ね矩形状の貫通穴８ａを有しており、その貫通穴８ａは、左右の各縁の前後方向でのほぼ中央が凹んでいる（図１の符号８ａａ参照）。更に、ここでの磁性板８は、フォーカス用コイル６における後の辺の外周を越えて後方に延び出す延出部８ｂを有している。
【００３１】
そして、磁性板８は、貫通穴８ａの四隅を各第２突起部２ｂ２で前後左右を位置決めされた状態で外挿される（図１、図２参照）。これにより、磁性板８は、レンズホルダ２の各第１突起部２ｂ１の下端面に当接、特に、左前及び右前の第１突起部２ｂ１の下端面に当接するとともに、延出部８ｂがレンズホルダ２における壁部２ｄの凹部２ｅに収容されてその底面に当接した状態となる。これと同時に、貫通穴８ａにおける左右の各縁、厳密には、符号８ａａで示される凹んだ各縁が、レンズホルダ２の各突片部２ｆにおける折れ曲がった先端部に引掛けられる。
【００３２】
こうして、磁性板８は、レンズホルダ２に対し、第１突起部２ｂ１の下端面及び凹部２ｅの底面との当接によって上方への移動が規制されつつ、各突片部２ｆによる引掛けよってその姿勢が正規の姿勢に拘束されるようになる。従って、接着剤を塗布するまでもなく、磁性板８を傾きのない正規の姿勢でレンズホルダ２に固定することが可能になる。その結果、磁性板８が果たす役割、特にフォーカス調整時やトラッキング調整時のレンズホルダ２のガタツキ抑制が十分となり、安定した性能のアクチュエータが得られる。
【００３３】
もっとも、レンズホルダ２への磁性板８の固定に接着剤が不要となることから、その分接着剤の使用量や塗布個所が少なくて済み、製作コストを低減することも可能である。但し、レンズホルダ２への磁性板８の固定に、接着剤を併用しても構わない。磁性板８は、各突片部２ｆによる引掛けよって傾きのない正規の姿勢に拘束されているからである。
【００３４】
なお、フォーカス用コイル６及びトラッキング用コイル７Ａ、７Ｂは、レンズホルダ２に接着剤によって接着固定される。ここで用いられる接着剤としては、安価なエポキシ樹脂等の熱硬化性の接着剤が好適である。この場合、レンズホルダ２にフォーカス用コイル６、磁性板８及びトラッキング用コイル７Ａ、７Ｂをすべて取り付けた後で、所定時間加熱して、一度に接着剤を硬化させるとよい。加熱工程が少なくて済み、経済的であるからである。但し、接着剤としては、紫外線硬化性の接着剤であっても構わない。この場合、レンズホルダ２にフォーカス用コイル６やトラッキング用コイル７Ａ、７Ｂを取り付けるごとに、所定時間紫外線を照射して、都度接着剤を硬化させるとよい。
【００３５】
その他本発明は上記の各実施形態に限定されず、本発明の趣旨を逸脱しない範囲で、種々の変更が可能である。
【産業上の利用可能性】
【００３６】
本発明は、光ディスク装置に搭載される光ピックアップアクチュエータに有用である。
【図面の簡単な説明】
【００３７】
【図１】本発明の一実施形態であるアクチュエータにおけるレンズホルダの下面図である。
【図２】レンズホルダの左側面図である。
【図３】レンズホルダ単体の下面図である。
【図４】レンズホルダ単体の右側面図である。
【図５】図３のＡ−Ａ断面図である。
【図６】本発明にも共通する従来のアクチュエータの外観を示す上面図である。
【図７】図６のアクチュエータの縦断面図である。
【図８】図６のアクチュエータにおける従来のレンズホルダの下面図である。
【符号の説明】
【００３８】
１    基台
２    レンズホルダ
２ａ    円筒部
２ｂ１    第１突起部
２ｂ２    第２突起部
２ｃ、２ｄ    壁部
２ｅ    凹部
２ｆ    突片部
３    支軸
４Ａ、４Ｂ    永久磁石
５    対物レンズ
６    フォーカス用コイル
７Ａ、７Ｂ    トラッキング用コイル
８    磁性板
８ａ    貫通穴
８ａａ    貫通穴の左右各縁の凹み
８ｂ    延出部
【図１】
2007172773.tif 000003
【図２】
2007172773.tif 000004
【図３】
2007172773.tif 000005
【図４】
2007172773.tif 000006
【図５】
2007172773.tif 000007
【図６】
2007172773.tif 000008
【図７】
2007172773.tif 000009
【図８】
2007172773.tif 000010